(57)【特許請求の範囲】
【請求項１】
室内に設置され、電話回線と接続されているテレビ電話ステーションと、該テレビ電話ステーションに対して着脱可能に構成されるとともに携帯して使用され、カメラ部、画像圧縮伸長処理手段、及び画像を表示する表示部を備えた携帯装置とからなり、前記カメラ部で撮像された画像データの圧縮及び伸長と、テレビ電話中に他の装置との間で送受される圧縮された画像データの圧縮及び伸長とを前記携帯装置の前記画像圧縮伸長処理手段で行うテレビ電話装置であって、
前記テレビ電話ステーションは、
圧縮されたメッセージ用の画像データを記憶するメッセージ記憶手段と、
留守録モードにするか否かを設定する設定手段と、
この設定手段により留守録モードに設定されている際に前記他の装置から着信した場合に、前記メッセージ記憶手段に記憶された画像データを当該他の装置に送信するメッセージ送信手段と、
このメッセージ送信手段による送信後に、前記他の装置から送られてきた画像データの保存を開始するテレビ電話時留守録手段と、
を備え、
前記携帯装置は、
スイッチ手段と、
テレビ電話中に前記スイッチ手段の操作が為された場合に、当該操作時において前記カメラ部から入力される送信画像データを、前記画像圧縮伸張処理手段に圧縮処理させて記録する送信画像記録手段と、
前記カメラ部に被写体を撮像させ、撮像された画像データを前記画像圧縮伸長処理手段に圧縮処理させることによって得られた圧縮された画像データを前記メッセージ用の画像データとして前記メッセージ記憶手段に記憶させるメッセージ画像録画制御手段と、
を備えることを特徴とするテレビ電話装置。
【請求項２】
前記テレビ電話ステーションは、
前記設定手段により留守録モードに設定され、前記他の装置から着信した場合に当該他の装置から送信される通常の電話時の音声を録音する通常電話時留守録手段と、
前記設定手段により留守録モードに設定されている際に他の装置から着信した場合に、当該他の装置にテレビ電話信号の送出を促す予め設定された音声メッセージを送信するプリメッセージ送信手段と、
このプリメッセージ送信手段による音声メッセージの送信後に前記テレビ電話信号を前記他の装置から受信したか否かを判別する判別手段と、
この判別手段により受信したと判別された場合には前記メッセージ送信手段を起動させた後、前記テレビ電話時留守録手段を起動させる制御を行い、受信しなかったと判別された場合には前記通常電話時留守録手段を起動させる制御を行う留守録制御手段と、
を備えることを特徴とする請求項１に記載のテレビ電話装置。
【発明の詳細な説明】
【０００１】
【産業上の利用分野】
本発明は、テレビ電話装置に係り、詳細には、携帯装置とテレビ電話ステーションとを結合することによりテレビ電話装置の機能を拡張又は補完可能なテレビ電話装置に関する。
【０００２】
【従来の技術】
近時における高度情報化社会の発達に伴い、大容量の各種情報を高速に伝送する通信媒体に対する需要が増している。
【０００３】
このような需要に対応すべく１９８８年にＴＴＣ（Telecommunication Technology Comittee：（社）電信電話技術委員会）の標準通信方式としてＪＪ−４０
．１０「アナログ電話帯域静止画映像通信方式」が制定され、これにより通信回線を介して白黒画像を相互にやり取りすることが可能となった。その後、１９８９年にＴＴＣ標準が改定され、白黒画像のみならず、カラー画像をやり取りすることも可能となっている。これらのＴＴＣ標準に則ったテレビ電話装置が種々開発されており、音声による説明だけでは相手に伝わりにくい情報を見せて伝達することができるというメリットや、相手の表情を見ながら通話を行えるというメリット等があることから普及が有望視されている。
【０００４】
テレビ電話装置は、接続する通信網の種類と画像及び音声の伝送機能の種類によって大別され、例えば、アナログ公衆回線に接続して白黒静止画像やカラー静止画像を伝送するもの、また、カラー動画像を伝送するもの等がある。
【０００５】
このようなアナログ公衆回線に接続して白黒静止画像を伝送する静止画テレビ電話装置では、画像データを圧縮することなく、そのまま伝送する方式を採っており、例えば、１画面が１００×１６０画素で６４階調（６ビット）の白黒画像データを扱う場合、１００×１６０×６＝９６０００ビット（約１１．７キロバイト）のデータを約８７４０ｂｐｓ（Bit Per Second）程度の伝送速度で伝送していたため、１画面分の画像データを伝送するのに約１１秒程度の時間を要していた。
【０００６】
画像データは、情報量が多く、そのままの形で処理するには、メモリ容量、通信速度等の関係から実用的でない。
【０００７】
そこで、伝送する画像データ及び音声データを、例えば、１／２０〜１／１００程度に圧縮して伝送することによりアナログ電話帯域を利用して２〜１０枚／秒程度の動画像の送信・受信を可能としたカラーの動画テレビ電話装置が案出されている。
【０００８】
画像データの圧縮伝送は、極めて多量のデータを伝送するので、多少の伝送遅れが発生しても、通話の進行に対する影響があまり大きくない。そのため、可変長符号化（例えば、ＣＣＩＴＴ勧告Ｈ．２６１に基づく可変長符号化方式等）が一般に行われている。
【０００９】
一方、音声データの圧縮伝送では、音声データをディジタル化することにより平均生成ビット長を圧縮することができるが、一般に、最大ビット長が保証されないエントロピー圧縮（例えば、ハフマン符号化等）を音声信号に適用することは、エントロピー圧縮により音声信号が長いビット長に生成されてしまった場合、音声信号に大きな伝送遅れが発生し、通話の進行に対する影響が大きいため、固定ビット長で符号化されて伝送されている。
【００１０】
なお、このようなアナログ通信網に接続されるテレビ電話装置では、画像情報と音声情報とを多重化して送・受信する通信機能を有しており、その接続される通信網に対応する通信手順と、その通信手順に基づく通信信号に付加して送・受信される画像情報と音声情報の符号化方式に関しては、ＣＣＩＴＴ（国際電信電話諮問委員会）勧告等により、通信網の種類毎に規定されている。
【００１１】
また、従来のテレビ電話装置は、一般に、電話機能を備えており、その筐体も大型であった。
【００１２】
ところで、近年、液晶テレビが普及しつつあり、車載用やスポーツ観戦用等として使われている。
【００１３】
最近では、例えば、ワイシャツのポケットに入るほどの小型の液晶テレビも開発され、通勤時や出張時に携帯していつでもテレビを見ることができるようになってきている。
【００１４】
一方、外出先で電話を使用する機会は多いが、当然のことながら電話では音声しか伝えることができない。
【００１５】
【発明が解決しようとする課題】
しかしながら、このような従来の画像データ及び音声データを圧縮して伝送するテレビ電話装置にあっては、圧縮したデータを伝送するために、画像入力部であるカメラ、画像表示部であるＣＲＴ（Cathode Ray Tube）、音声入出力部である電話機が一体となって構成されていたため、装置の小型・軽量化が難しく、携帯型の装置を得難いといった問題点や、既存の電話機を使用できないという問題点があった。すなわち、従来のテレビ電話装置は、据え置き型を前提として作られており、一度設置したら他の場所に移動して使うことは困難であった。
【００１６】
ところで、最近、液晶表示装置の高画質化が進み、ＣＲＴに代わる表示装置として注目されており、この液晶表示装置を採用することで、消費電力を少なくするとともに、装置の小型・軽量化を図ることが可能である。また、液晶表示装置に表示された画面情報を、より大画面の画像表示装置に表示したり、比較的大容量のメモリに記憶しておきたい場合がある。
【００１７】
また、画像を見ることかできる液晶テレビを携帯していながら、電話使用時には音声しか伝えられないのは不合理である。
【００１８】
しかし、このように装置の小型・軽量化が可能になって外出時に持ち出したとしても相手方が不在であれば様子を通信相手に伝達することはできないという問題点があった。
【００１９】
そこで本発明は、小型・軽量化を図り、携帯しての利用を可能にするとともに、不在時であっても画像データ及び音声データを伝達することのできる拡張機能を備えたテレビ電話装置を提供することを目的とする。
【００２０】
【課題を解決するための手段】
請求項１記載の発明は、上記目的達成のため、
室内に設置され、電話回線と接続されているテレビ電話ステーションと、該テレビ電話ステーションに対して着脱可能に構成されるとともに携帯して使用され、カメラ部、画像圧縮伸長処理手段、及び画像を表示する表示部を備えた携帯装置とからなり、前記カメラ部で撮像された画像データの圧縮及び伸長と、テレビ電話中に他の装置との間で送受される圧縮された画像データの圧縮及び伸長とを前記携帯装置の前記画像圧縮伸長処理手段で行うテレビ電話装置であって、
前記テレビ電話ステーションは、
圧縮されたメッセージ用の画像データを記憶するメッセージ記憶手段と、
留守録モードにするか否かを設定する設定手段と、
この設定手段により留守録モードに設定されている際に前記他の装置から着信した場合に、前記メッセージ記憶手段に記憶された画像データを当該他の装置に送信するメッセージ送信手段と、
このメッセージ送信手段による送信後に、前記他の装置から送られてきた画像データの保存を開始するテレビ電話時留守録手段と、
を備え、
前記携帯装置は、
スイッチ手段と、
テレビ電話中に前記スイッチ手段の操作が為された場合に、当該操作時において前記カメラ部から入力される送信画像データを、前記画像圧縮伸張処理手段に圧縮処理させて記録する送信画像記録手段と、
前記カメラ部に被写体を撮像させ、撮像された画像データを前記画像圧縮伸長処理手段に圧縮処理させることによって得られた圧縮された画像データを前記メッセージ用の画像データとして前記メッセージ記憶手段に記憶させるメッセージ画像録画制御手段と、
を備えることを特徴としている。
【００２１】
また、請求項２に記載されているように、
前記テレビ電話ステーションは、
前記設定手段により留守録モードに設定され、前記他の装置から着信した場合に当該他の装置から送信される通常の電話時の音声を録音する通常電話時留守録手段と、
前記設定手段により留守録モードに設定されている際に他の装置から着信した場合に、当該他の装置にテレビ電話信号の送出を促す予め設定された音声メッセージを送信するプリメッセージ送信手段と、
このプリメッセージ送信手段による音声メッセージの送信後に前記テレビ電話信号を前記他の装置から受信したか否かを判別する判別手段と、
この判別手段により受信したと判別された場合には前記メッセージ送信手段を起動させた後、前記テレビ電話時留守録手段を起動させる制御を行い、受信しなかったと判別された場合には前記通常電話時留守録手段を起動させる制御を行う留守録制御手段と、
を備えることとしてもよい。
【００２２】
【作用】
請求項１及び２記載の発明では、
テレビ電話装置は、カメラ部、画像圧縮伸長処理手段、及び画像を表示する表示部を備えた携帯装置と、テレビ電話装置の機能を拡張又は補完するテレビ電話ステーションとから構成され、携帯装置がテレビ電話ステーションにドッキングされると、ステーションが有する各拡張機能が直ちに使用可能になるように構成される。すなわち、携帯装置が、テレビ電話中にスイッチ手段の操作が為された場合に、当該操作時においてカメラ部から入力される送信画像データを記録する。また、テレビ電話ステーションが、携帯装置で撮像されて圧縮処理されたメッセージ用の画像データを記憶するとともに、留守録モード時に他の装置から着信した場合には、テレビ電話信号の送出を促す予め設定された音声メッセージを送信し、当該他の装置からテレビ電話信号を受信したか否かによって通常の留守録とテレビ電話の留守録とを切り替え、テレビ電話の留守録を行う場合に、前述のメッセージ用の画像データを当該他の装置に送信し、送信後に前記他の装置から送られてきた画像データを保存する。
【００２３】
従って、携帯装置を単体で使用するときには、液晶表示部を採用したことにより小型・軽量化が図られて携帯しての利用が可能になる。そして、携帯装置をテレビ電話ステーションにドッキングさせておけば、携帯装置は、テレビ電話中にスイッチ手段の操作が為された場合に、当該操作時においてカメラ部から入力される送信画像データを画像圧縮伸張処理手段により圧縮処理させて記憶することができ、また、テレビ電話ステーションは、留守録モード時に他の装置から着信した場合に、当該他の装置にメッセージ用の画像データを送信することができる。さらに、テレビ電話ステーションは、留守録モード時において、他の装置がテレビ電話であるか普通の電話であるかに応じた留守録を行うことができる。
【００２４】
【実施例】
以下、図１〜図１３を参照して実施例を説明する。
【００２５】
図１〜図１３は本発明に係るテレビ電話装置の実施例を示す図であり、本実施例は、電子カメラ機能を備えた携帯装置と、テレビ電話ステーションとからなるテレビ電話装置に適用した例である。
【００２６】
まず、構成を説明する。図１は、携帯装置とテレビ電話ステーションとの接続関係を説明するための図、図２は、携帯装置の外観図、図３は、携帯装置とテレビ電話ステーションとのドッキング状態を説明するための図、図４は、携帯装置の全体構成ブロック図、図５は、テレビ電話ステーションの全体構成ブロック図、図６は、多重化符号の１フレームの構成を示す図である。なお、以下、通信回線としてアナログ電話一般加入者回線を使用する場合について説明する。
【００２７】
図１において、本実施例のテレビ電話装置は、小型・軽量化により携帯しての利用を可能にするとともに、留守番機能を備えたテレビ電話ステーションに着脱可能に接続される携帯装置１００と、携帯装置１００が着脱可能に接続されるとともに、留守番機能を含むデータ通信機能等を備え、携帯装置１００とドッキングすることによって、携帯装置１００の機能を拡張又は補完するテレビ電話ステーション１５０とにより構成されている。
【００２８】
上記携帯装置１００が載置されるテレビ電話ステーション１５０は、アナログ公衆回線に接続されるモジュラージャック式コンセント２０１に接続され、その背面に、アナログ公衆回線に接続するためのＬＩＮＥ側入出力端子１Ｌと、図示しない他の電話機若しくはファクシミリに接続するためのＴＥＬ側入出力端子１Ｔとを備えている。そして、両端にモジュラープラグ２０３を有するモジュラーケーブル２０４によって、モジュラージャック式コンセント２０１とＬＩＮＥ側入出力端子１Ｌとをそれぞれ接続している。
【００２９】
図２において、携帯装置１００は、その筐体１０１が奥行きの薄い直方体に形成されており、筐体１０１は、縦６５ｍｍ、横６０ｍｍ、厚さ２４ｍｍのサイズの縦方向に細長い薄型の直方体の形状に形成されている。
【００３０】
筐体１０１の上部左側には、カメラ部１０２が取り付けられており、カメラ部１０２によって被写体を撮影することができる。
【００３１】
筐体１０１の前面には、液晶表示部１０３及びキー入力部１０４が設けられており、液晶表示部１０３は、図４で後述するようにＤＤ（Display Driver）３４、ＬＣＤ（Liquid Crystal Display ）３５とから構成され、キー入力部１０４は、携帯装置１００における各種処理の選択に際してオペレータが指示するための複数のキースイッチ１０から構成されている。上記液晶表示部１０３は、例えば画面サイズが１．４インチのＴＦＴ方式のアクティブマトリクス型液晶表示装置であり、色の三原色となるＲ（Ｒｅｄ），Ｇ（Ｇｒｅｅｎ），Ｂ（Ｂｌｕｅ）に対応する各画素をデルタ状に配設した２２０×２７９＝６１３８０画素の高解像度カラー液晶表示パネルを備えている。
【００３２】
さらに、筐体１０１の側面には、電源スイッチ１０５が設けられており、電源スイッチ１０５は、携帯装置１００のメイン電源のオン／オフを行なうものである。
【００３３】
また、筐体１０１の上面には、音声の音量を調整するボリュームダイヤル１０６、イヤホン端子１０７、各種モード等を切り換える切換スイッチ１０８、チューニングボタン１０９、メイン電源のオン／オフを表示するパワーインジケータ１１０が設けられている。なお、筐体１０１の底面には、後述するテレビ電話ステーション１５０の筐体１５１の凹部１５１ａに設けられたＩ／Ｏポート端子１１１に接続するためのＩ／Ｏポート端子（図示略）が設けられている。
【００３４】
カメラ部１０２は、液晶表示部１０３の表示面と同一面方向に設けられた小型ＣＣＤ（Charge Coupled Device ）カメラである。
【００３５】
液晶表示部１０３は、画面サイズが１．４インチのＴＦＴ方式のアクティブマトリクス型液晶表示装置であり、色の三原色となるＲ（Ｒｅｄ），Ｇ（Ｇｒｅｅｎ），Ｂ（Ｂｌｕｅ）に対応する各画素をデルタ状に配設した２２０×２７９＝６１３８０画素の高解像度カラー液晶表示パネルを備えている。
【００３６】
キー入力部１０４は、携帯装置１００における各種処理の選択に際してオペレータが指示するためのものである。
【００３７】
ボリュームダイヤル１０６は、イヤホン音量を調節するためのものであり、切換スイッチ１０８は、各種モード等を切り換えるスイッチである。また、イヤホン端子１０７は、ワイヤーアンテナを兼用するイヤホンを接続するための端子であり、アンテナ端子としての働きも有している。
【００３８】
チューニングボタン１０９は、同調周波数のアップまたはダウンを指示するものであり、パワーインジケータ１１０は、電源スイッチ１０５による携帯装置１００のメイン電源のオン／オフを表示する。
【００３９】
また、図１に示すように筐体１０１の底面には、映像データ及び音声データの送受信が可能なテレビ電話ステーション１５０の筐体１５１の凹部に設けられたＩ／Ｏポート端子（図示略）に接続するためのＩ／Ｏポート端子１１１が設けられている。
さらに、筐体１０１の底面には、図１に示すようにテレビ電話ステーション１５０の筐体１５１の収納部１５１ａに設けられた電源供給端子（図示略）に接触して、携帯装置１００に所定電圧値の直流電圧を供給するための電源供給端子１１２が設けられている。
【００４０】
このように携帯装置１００の筐体１０１を、縦長に形成し、より小型・軽量化すると、服のポケット等に収納して持ち運ぶことができ、携帯性をより一層向上させることができる。
【００４１】
一方、上記テレビ電話ステーション１５０は、携帯しての利用が可能な軽量小型の携帯装置１００とドッキングすることによって、携帯装置１００の機能を拡張又は補完するステーションとなるもので、本実施例のテレビ電話ステーション１５０は、拡張又は補完機能として内部にモデム（MODEM：MOdulation and DEModulation）及びＮＣＵ（Network Control Unit）を備えた電話機能を有するとともに、留守番機能を有し、さらに図１に示すように電話回線２０１に接続したままの状態にしておくようにする。また、テレビ電話ステーション１５０は、携帯装置１００に所定電圧値の直流電圧を供給するための電源供給回路１７５（図５で後述）を備えている。従って、携帯装置１００を、図３に示すようにテレビ電話ステーション１５０にドッキングさせるだけでこれらの機能を直ちに使用ことができ、携帯装置１００の機能を拡張又は補完することが可能になる。
【００４２】
図１において、テレビ電話ステーション１５０は、ハンドセットを備えた電話機の形状となっており、その筐体１５１の上部が上記ポケット型の携帯装置１００を、使用者が視認し易いように所定角度傾斜した状態で、安定して載置するための収納部１５１ａとなっており、収納部１５１ａは、携帯装置１００をドッキングさせたとき携帯装置１００が緩傾斜して直立可能なように携帯装置１００の筐体１０１の横方向と奥行きよりも少し大きい形状に形成されている。従って、携帯装置１００の底部を、テレビ電話ステーション１５０の筐体１５１の収納部１５１ａに収納することにより携帯装置１００がテレビ電話ステーション１５０にドッキングされることになる。
【００４３】
また、筐体１５１の収納部１５１ａ内の底部には、携帯装置１００の底部に設けられたＩ／Ｏポート端子１１１に接続するためのＩ／Ｏポート端子（図示略）が設けられているとともに、携帯装置１００の底部に設けられた電源供給端子１１２に接続するための電源供給端子（図示略）が設けられている。従って、携帯装置１００を、テレビ電話ステーション１５０の筐体１５１の収納部１５１ａにドッキングさせるとＩ／Ｏポート端子１１１同士が係合して接続され、携帯装置１００とテレビ電話ステーション１５０の間のデータの送・受信が可能になり、これによって携帯装置１００から送られてくる画像データをテレビ電話ステーション１５０側で受信可能になる。また、電源供給端子同士が係合して接続され、携帯装置１００にテレビ電話ステーション１５０の電源供給回路１７５（後述）から所定電圧値の直流電圧を供給することが可能になる。
【００４４】
また、筐体１５１の収納部１５１ａの右側面には、テレビ電話ステーション１５０のメイン電源のオン／オフを行なう電源スイッチ１５２、筐体１５１の左側面には、握り部分を介して結合して一体化したハンドセット（送受器）１５３が取り付けられている。
【００４５】
また、筐体１５１の収納部１５１ａの前面には、テレビ電話ステーション１５０における各種モードを指定するキー（送信ボタン、受信ボタン、自動受信モードの設定の他に留守録設定を行なうキー等）及びテンキーなどが設けられたキースイッチ１５４、発信者番号や時刻、通話時間、通話料金等を表示するＬＣＤ等からなる表示部１５５が設けられている。なお、１５６は、携帯装置１００を、テレビ電話ステーション１５０の筐体１５１の収納部１５１ａから外した際、筐体１５１の収納部１５１ａを覆う蓋である。
【００４６】
また、筐体１５１の裏面には、ＬＩＮＥ側入出力端子１Ｌ及びＴＥＬ側入出力端子１Ｔと、映像信号を入出力するためのピン端子１６１と、音声信号を入出力するためのピン端子１６２，１６３と、ＶＨＦ信号を入力するためのＶＨＦアンテナ端子１６４と、ＵＨＦ信号を入力するためのＵＨＦアンテナ端子１６５と、映像信号を入出力するためのＳ端子１６６と、電源コード（図示略）とが設けられている。すなわち、筐体１５１の裏面には、入出力端子１Ｌ、１Ｔが設けられており、テレビ電話ステーション１５０は、モジュラープラグ２０３を有するモジュラーケーブル２０４によって入出力端子モジュラージャック式コンセント２０１に接続される。
【００４７】
この場合、テレビ電話ステーション１５０は自宅等に設置しておくことを前提にしているため、テレビ電話ステーション１５０のＬＩＮＥ側入出力端子１Ｌを、常時、自宅の電話回線２０１に接続したままの状態にしておくようにする。
【００４８】
また、上記ピン端子１６１、１６２、１６３には、図示しない３端子ケーブルの入出力プラグが接続され、この３端子ケーブルの入出力プラグの他端はテレビ受信機（図示略）の外部入出力端子に接続されている。この場合にも３端子ケーブルを介して、常時、自宅のテレビ受信機に接続したままの状態にしておくようにする。
【００４９】
このようにすれば、携帯装置１００を、テレビ電話ステーション１５０にドッキングさせるだけで、携帯装置１００がテレビ電話ステーション１５０を介在して電話回線等に接続されることになり携帯装置１００と電話回線等を介して接続された他のテレビ電話装置との間でデータの送受信が可能になる。また、携帯装置１００の画像データをテレビ電話ステーション１５０を介在して自宅のテレビ受信機に直ちに映し出すことができるとともに、携帯装置１００及びテレビ電話ステーション１５０をテレビ電話装置として使用する場合に、相手方の画像をより大画面で映し出すことが可能になる。
【００５０】
図４は、図２に示した携帯装置１００の概略構成を示すブロック図である。図４において、携帯装置１００は、カメラ部１０２、液晶表示部１０３、制御部１１、画像処理部１２、音声処理部１３から構成されており、キースイッチ１０、制御部１１、画像処理部１２、音声処理部１３、Ｉ／Ｏポート５０は、それぞれバス１５に接続されている。
【００５１】
キー入力部１０４は、図４に示すように、複数のキースイッチ１０から構成されており、携帯装置１００における各種処理の選択に際してオペレータが指示するためのものである。
【００５２】
制御部１１は、ＣＰＵ（Central Processing Unit）１６、ＲＡＭ（Random Access Memory ）１７、ＲＯＭ（Read Only Memory）１８から構成されている。
【００５３】
Ｉ／Ｏポート（Input/Output port）５０は、必要なデータを外部から取り込
むとともに、データを外部に出力する入出力機構である。
【００５４】
バス１５は、キースイッチ１０、制御部１１、画像処理部１２、音声処理部１３をそれぞれ接続する共通の信号路であり、番地を指示するためのアドレスバスと、データを転送するためのデータバスとから構成されている。
【００５５】
ＣＰＵ１６は、携帯装置１００内の各部を制御する各種制御信号を、バス１５を介して各部に出力するとともに、接続される通信回線種に応じた通信制御プログラムを実行するものであり、また、ＣＰＵ１６は、携帯装置１００がテレビ電話ステーション１５０上に載置されたとき、相手先のテレビ電話装置（例えば、テレビ電話装置）から多重化して送信される画像データ及び音声データを受信し、テレビ電話ステーション１５０の変調・復調部１４（図５）により復調されて入力されると、復調された画像データ及び音声データを分離処理し、圧縮画像データをバス１５を介して画像圧縮・伸張回路１９に出力するとともに、圧縮音声データをバス１５を介して音声圧縮・伸張回路２７に出力するものである。
【００５６】
さらに、ＣＰＵ１６は、画像圧縮・伸張回路１９からバス１５を介して入力される圧縮画像データと音声圧縮・伸張回路２７からバス１５を介して入力される圧縮音声データとを多重化し、画像データ及び音声データとしてバス１５を介してテレビ電話ステーション１５０の変調・復調部１４に出力するものである。
【００５７】
ＲＡＭ１７は、ＣＰＵ１６により実行されるプログラム処理において利用されるプログラムデータや、圧縮した画像データ及び音声データ等を格納する半導体メモリである。
【００５８】
ＲＯＭ１８は、携帯装置１００内で利用されるプログラムやデータ等を格納する半導体メモリである。
【００５９】
画像処理部１２は、画像圧縮・伸張回路１９、バッファメモリ２０、ＡＤＣ（Analog to Digital Converter ：Ａ／Ｄコンバータ）２１、ビデオメモリ（ＶＲＡＭ）２２，２３、ＤＡＣ（Digital to Analog Converter ：Ｄ／Ａコンバータ）２４から構成されている。なお、２５は画像入力端子である。
【００６０】
画像圧縮・伸張回路１９は、ビデオメモリ２２に格納された画像データを所定の符号化方式、すなわち、取り扱う画像の種類（この場合、静止画）に応じた、例えば、ＪＰＥＧ（Joint Photographic (Coding) Experts Group ）アルゴリズムにより８×８画素ブロック毎にＤＣＴ（Discrete Cosine Transform ：離散コサイン変換）、量子化、ハフマン符号化により圧縮処理（符号化）を実行したり、また、通信回線を介して受信され、テレビ電話ステーション１５０の変調・復調部１４によって復調された受信圧縮画像データの伸張（復号化）処理を実行し、その伸張された画像データをビデオメモリ２３に出力し、格納するものであり、この場合、通信回線を介して１１０×１６０画素で最大４０９６色（１２ビット）のカラー映像信号として送られてくる画像データを２２０×２７９画素相当の輝度信号（以下、Ｙ信号という）と、４０９６色相当の色信号（以下、Ｃ信号という）とからなるＹＣ信号として処理する機能を有しており、前述の１１０×１６０画素で１２ビットのデータは、２２０×２７９画素で１２ビットのディジタル画像データに変換される。なお、画像圧縮処理におけるデータ圧縮率は、伸張後の画像品位との関係から７／１００程度（約６８／１０００）となっている。
【００６１】
バッファメモリ２０は、画像圧縮・伸張回路１９によって圧縮処理された圧縮画像データを一時的に記憶するものであり、バッファメモリ２０に圧縮された状態で蓄えられた画像データは、ＣＰＵ１６からの制御命令に基づいて順次読み出される。
【００６２】
ここで、バッファメモリ２０の記憶容量を充分に確保することにより、カメラ部１０２より取り込んだ画像データを圧縮した状態で複数格納しておくことができ、これを利用して携帯装置１００を電子スチルカメラとして利用することができる。
【００６３】
さらに、バッファメモリ２０に格納した画像データを、Ｉ／Ｏポート５０を通してテレビ電話ステーション１５０側に伝送することにより、テレビ電話ステーション１５０に接続された大画面のテレビ受信機２５０で見ることができる。
【００６４】
ＡＤＣ２１は、カメラ部１０２から入力される画像信号（アナログ信号）を画像処理回路１２内で処理可能な信号（ディジタル信号）に変換してビデオメモリ２２に出力するものである。
【００６５】
ビデオメモリ２２，２３は、ＶＲＡＭ（Video ＲＡＭ）から構成され、ＡＤＣ２１から出力される画像データ（ディジタルデータ）、または画像圧縮・伸張回路１９により圧縮・伸張された画像データ（ディジタルデータ）を格納するための半導体画像メモリである。
【００６６】
ＤＡＣ２４は、ビデオメモリ２３に格納された画像データの画像信号（ディジタル信号）を液晶表示部１０３によって表示可能な信号（アナログ信号）に変換して出力するものである。なお、本実施例では、後述するＬＣＤ３５のデータドライバにアナログデータドライバを使用しているために、ＤＡＣ（Ｄ／Ａコンバータ）を必要としているが、データドライバとしてディジタルデータドライバを用いている場合には、このＤＡＣ２４は不要となる。
【００６７】
音声処理回路１３は、ＡＤＣ２６、音声圧縮・伸張回路２７、バッファメモリ２８、ＤＡＣ２９から構成されている。
【００６８】
ＡＤＣ２６は、電話機２０２からテレビ電話ステーション１５０の変調・復調部１４のＮＣＵ３１、Ｉ／Ｏポート５２及びＩ／Ｏポート５０を介して入力される音声信号（アナログ信号）を音声処理部１３内で処理可能な信号（ディジタル信号）に変換して音声圧縮・伸張回路２７に出力するものである。
【００６９】
音声圧縮・伸張回路２７は、ＡＤＣ２６から入力されるディジタル音声データを、例えば、ＣＥＬＰ（Code Excited Linear Predivtion）アルゴリズムにより、一定時間の入力データに対して分析する手段、分析されたパラメータにより波形合成する手段、入力波形及び合成波形の誤差算出手段等による所定の符号化方式によってバス１５からの入力データに対して圧縮（符号化）処理を実行し、その圧縮音声データをＤＡＣ２９に出力したり、また、テレビ電話ステーション１５０の変調・復調部１４によって復調された受信圧縮音声データの伸張（復号化）処理を実行し、その伸張音声データをＤＡＣ２９に出力するものである。なお、音声圧縮処理におけるデータ圧縮率は、伸張後の音声品位との関係から５／１００程度（約５０／１０００）となっている。
【００７０】
バッファメモリ２８は、音声圧縮・伸張回路２７によって圧縮処理された圧縮音声データを一時的に記憶するものであり、バッファメモリ２８に圧縮された状態で蓄えられた音声データは、ＣＰＵ１６からの制御命令に基づいて順次読み出される。
【００７１】
また、図４において、カメラ部１０２は、レンズ３２、ＣＣＤ（Charge Coupled Device ）３３とから構成されている。
【００７２】
レンズ３２は、携帯装置１００本体に設けられた、ガラスまたはプラスチックからなる光学レンズであり、ＣＣＤ３３はレンズ３２によって結像された光の強度に基づいて電気信号を発生し、この電気信号（アナログ信号）を画像処理部１２に出力するものである。
【００７３】
液晶表示部１０３は、ＤＤ（Display Driver）３４、ＬＣＤ（Liquid Crystal Di-splay ）３５とから構成されている。なお、３６はテレビチューナ、３７はＡＤＣであり、３４ａは映像入力端子、３４ｂ映像出力端子である。
【００７４】
ＤＤ３４は、画像処理部１２から入力される映像信号または映像入力端子３６から入力される映像信号に基づいて、ＬＣＤ３５によって画像表示を行なうためにＬＣＤ３５を駆動するものであり、具体的には、入力される映像信号を２２０×２７９画素で所定ビットのアナログ映像信号（アナログＲＧＢ信号）に変換し、ＬＣＤ３５に出力するものである。
【００７５】
ＬＣＤ３５は、アクティブマトリクス方式の１つであるＴＦＴ（Thin Film Transistor ）型液晶表示パネルを有するカラー液晶表示装置から構成され、ＤＤ
３４の駆動によって、最大４０９６色（１２ビット）のカラー映像信号を表示するものである。なお、前述したように、ＬＣＤ３５の表示画素数は１１０×１６０となっている。
【００７６】
一般に、ＬＣＤは、ＣＲＴ等の画像表示手段と比較して、極めて薄型で、かつ、小型・軽量化が容易であり、また、アクティブマトリクス型のＬＣＤは、単純マトリクス型のＬＣＤと比較して、きめ細かい中間調の制御ができるとともに、高いコントラスト比が確保でき、さらに、応答速度が速いことなどから、高画質で多階調のカラー表示が求められる分野においては有効なデバイスである。特に、３端子素子であるＴＦＴを用いたアクティブマトリクス型ＬＣＤはＣＲＴに匹敵する高画質が得られる。
【００７７】
テレビチューナ３６は、所定のテレビ電波を受信し、ＡＤＣ３７を介して映像信号をバッファメモリ２０に出力するものである。
【００７８】
ＡＤＣ３７は、テレビチューナ３６から入力されるアナログ信号である映像信号をディジタル信号に変換するものである。
【００７９】
また、電源回路５１は、充電式電池や電圧調整回路等を備え、充電式電池の電源を電圧調整回路等で電圧調整して、携帯装置１００の各部に電源を供給する。なお、電源回路５１は、本実施例では、充電式電池を使用しているが、乾電池等の非充電式の電池を使用してもよい。
【００８０】
図５は、図１に示したテレビ電話ステーション１５０の概略構成を示すブロック図である。
図５において、テレビ電話ステーション１５０は、変調・復調部１４、Ｉ／Ｏポート５２、ハンドセット（送受器）１５３、キースイッチ１５４、表示部１５５、制御部１７０、メッセージメモリ１７４、電源供給回路１７５から構成されている。
【００８１】
ハンドセット（送受器）１５３は、送話器１５３ａ、受話器１５３ｂなどを握り部分を介して結合して一体化したものである。
【００８２】
キースイッチ１５４は、テレビ電話ステーション１５０における各種モードを指定するキー（送信ボタン、受信ボタン、自動受信モードの設定の他に留守録設定を行なうキー等）及びテンキーなどが設けられとともに、モード切り替えによってテレビ電話処理を指定するためのものである。
【００８３】
表示部１５５は、発信者番号や時刻、通話時間、通話料金等を表示するとともに、モード切替によって留守録状態等を表示するためのものである。
【００８４】
制御部１７０は、ＣＰＵ１７１、ＲＡＭ１７２、ＲＯＭ１７３から構成されている。
【００８５】
ＣＰＵ１７１は、テレビ電話ステーション１５０内の各部を制御するとともに、接続される通信回線種に応じた通信制御プログラムを実行する。また、ＣＰＵ１７１は、テレビ電話ステーション１５０上に携帯装置１００が載置されたとき、相手先のテレビ電話装置（例えば、テレビ電話装置）から多重化して送信される画像データ及び音声データを受信し、変調・復調部１４により復調されて入力されると、復調された画像データ及び音声データを分離処理し、圧縮画像データを携帯装置１００の画像圧縮・伸張回路１９に出力するとともに、圧縮音声データを携帯装置１００の音声圧縮・伸張回路２７に出力するものである。
【００８６】
さらに、ＣＰＵ１７１は、携帯装置１００の画像圧縮・伸張回路１９から入力される圧縮画像データと音声圧縮・伸張回路２７から入力される圧縮音声データとを多重化し、画像データ及び音声データとして変調・復調部１４に出力するものである。
【００８７】
ＲＡＭ１７２は、ＣＰＵ１７１により実行されるプログラム処理において利用されるプログラムデータや、送信すべき音声データ等を格納する半導体メモリである。
【００８８】
ＲＯＭ１７３は、テレビ電話ステーション１５０内で利用されるプログラムやデータ等を格納する半導体メモリである。
【００８９】
メッセージメモリ１７４は、留守録時に相手方にメッセージとして送出する画像データ及び音声データを記憶するとともに、留守録時に相手端末から送出された画像データ及び音声データを記憶する半導体メモリである。メッセージメモリ１７４としては、半導体メモリに代えて多数の画像データを記憶可能な高速大容量の磁気ディスク装置や、光磁気ディスク装置を用いてもよい。
【００９０】
変調・復調部１４は、モデム（MODEM,MOdulation and DEModulation ）３０、ＮＣＵ（Network Control Unit）３１とから構成されている。なお、１Ｌ，１Ｔは、通信回線（この場合、一般加入者回線）に対する入出力端子であり、１Ｌはモジュラージャック式コンセント２０１側に、また、１Ｔは他の電話機若しくはファクシミリ側に、それぞれモジュラーケーブル２０４を介して接続されている。
【００９１】
モデム３０及びＮＣＵ３１は、コンピュータや端末装置から出力される直列のディジタル信号を、通信回線で伝送可能な伝送信号（アナログ信号）に変換・送信する「変調器（modulator ）」としての機能と、逆に通信回線を介して送られてきた伝送信号（アナログ信号）を、再びコンピュータや端末装置の解読可能なディジタル信号に戻す「復調器（demodulator ）」としての機能とを備えたものであり、ＮＣＵ３１によって、利用する通信回線として一般加入者回線での使用が可能となっている。このモデム３０は、Ａ／Ｄ変換回路とバッファメモリを備えており、復調したデータをＡ／Ｄ変換し、バッファメモリに一旦蓄える。そして、ＣＰＵ１６によってこのバッファメモリに蓄えられたデータが読み出され、画像データと音声データが分離されて、画像データは画像圧縮・伸張回路１９へ、音声データは音声圧縮・伸張回路２７へ、それぞれ供給されるものである。
【００９２】
また、本実施例におけるモデム３０及びＮＣＵ３１は、アナログ公衆回線で利用できる最大のデータ伝送速度である１４４００ｂｐｓによる信号伝送が可能であり、処理単位となる１フレーム中に映像符号と音声符号とを組み込むことにより画像データと音声データとを双方向に同時に伝送し、１画面分の画像データを３秒に１コマの割合で間欠画像として伝送する。
【００９３】
１フレームを構成する多重化符号は、映像ヘッダ及び映像符号からなる約２５６バイト（約２０４８ビット）の映像データと、音声ヘッダ及び音声符号からなる約２５６バイト（約２０４８ビット）の音声データとから構成されており、映像符号と音声符号とはエラー訂正符号を含み、かつ、映像符号と音声符号との前には、それぞれ映像ヘッダと音声ヘッダとが付加されるため、実際の映像符号に含まれる画像データと音声符号に含まれる音声データとの伝送データ量は合計９６００ｂｐｓとなり、画像データ用に４８００ｂｐｓ、また、音声データ用に４８００ｂｐｓを使用する。
【００９４】
具体的には、１フレームのデータ長は、映像データに約２５６バイト、音声データに約２５６バイトの合計約５１２バイト（約４０９８ビット）であり、１４４００ｂｐｓの伝送速度においては、１フレームのデータ伝送時間は、約２８０ｍｓ（映像データに約１４０ｍｓ、音声データに約１４０ｍｓ）となる。
【００９５】
つまり、１秒間に約３．５７フレームのデータが伝送されることになり、１秒間に伝送される映像データは約７３００ビット（２５６×８×３．５７＝７３１１）となる。従って、本実施例では、１秒間に伝送される約７３００ビットのデータから実際の画像データ（４８００ｂｐｓ）を差し引いた約２５００ビットのデータに、画面サイズに関する情報、画像データ伝送に関するコマンド、エラー訂正符号等が含まれている。
【００９６】
本実施例で取り扱う画像データは、１画面が１１０×１６０画素で４０９６色（１２ビット）のカラー画像データであり、１画面分の画像データ量は１１０×２７９×１２＝２１１２００ビット（約２５．８キロバイト）となる。これを画像圧縮処理により約６８／１０００にデータを一括して圧縮して１４４００ビットの画像データとし、この１４４００ビットを１秒間に４８００ビットずつ伝送し、すなわち、３秒（＝１４４００÷４８００）に１コマの割合で間欠静止画像を伝送する。
【００９７】
従って、実際に１秒間に伝送されるデータは、２１１２００ビットを３で割って求められる７０４００ビット（約８．６キロバイト）の画像データであり、この７０４００ビットの画像データが約６８／１０００に圧縮されて４８００ビットの画像データを含む映像符号とされている。
【００９８】
この場合、伝送する画像データは、１画面分の画像データを一括して圧縮処理し、圧縮された画像データを伝送するだけでなく、伝送する時間に基づいて元の画像データを予め分割し、この分割した画像データ単位に圧縮処理を施すものであってもよい。
【００９９】
一方、音声データは、１２ビット・８ｋＨｚでサンプリングしたディジタルデータとして扱い、この１２×８０００＝９６０００ビットの音声データを、約５０／１０００に圧縮して４８００ビットの音声データを含む音声符号としている。
【０１００】
電源供給回路１７５は、テレビ電話ステーション１５０の各部に所定の電源を供給する電源部としての機能を有するとともに、携帯装置１００に所定電圧値の直流電圧を供給するための電源アダプターとしての機能を有する。
【０１０１】
次に、本実施例の動作を説明する。
【０１０２】
本実施例のテレビ電話装置は、携帯装置１００を小型軽量化することによって携帯しての利用を可能にするとともに、自宅等に設置したテレビ電話ステーション１５０とドッキングすることによって、携帯装置１００の機能を拡張又は補完するようにしたものであり、拡張機能の主なものに電話機能と留守番機能がある。
【０１０３】
（１）テレビ電話機能を用いた場合のテレビ電話ステーション１５０側の拡張又は補完機能としては、テレビ電話ステーション１５０を介在して電話回線２０１に携帯装置１００を接続する拡張ステーション機能と、
拡張ステーション機能によって接続された他のテレビ電話装置（テレビ電話装置）との間で、携帯装置１００のカメラ部１０２で取り込んで画像処理部１２で画像処理した画像データを電話機能を使用して相手方のテレビ電話装置に送出するとともに、結合された携帯装置１００による音声データを電話機能を使用して相手方のテレビ電話装置に送出する送信機能、及び、
相手方のテレビ電話装置から送出された画像データを、電話機能によって受信して携帯装置１００の表示部１０３及びテレビ電話ステーション１５０に接続されたテレビ受信機に映し出すとともに、相手方のテレビ電話装置から送出された音声データを、電話機能によって受信して結合されたテレビ電話ステーション１５０により放音する受信機能からなるテレビ電話機能と、
がある。
【０１０４】
（２）留守番機能を用いた場合のテレビ電話ステーション１５０側の拡張又は補完機能としては、テレビ電話ステーション１５０を介在して電話回線２０１に携帯装置１００を接続する拡張ステーション機能と、
拡張ステーション機能によって接続された他のテレビ電話装置（テレビ電話装置）との間で、留守番時、メッセージメモリ１７４に記憶されている画像を電話機能を使用して相手方のテレビ電話装置に送出するとともに、音声メッセージデータを電話機能を使用して相手方のテレビ電話装置に送出する留守番送信機能、及び、
相手方のテレビ電話装置から送出された画像データを、テレビ電話ステーション１５０の電話機能によって受信してテレビ電話ステーション１５０のメッセージメモリ１７４に記憶する留守番受信機能からなる留守番テレビ電話機能と、
がある。
【０１０５】
（３）また、テレビ電話ステーション１５０の別の補完機能としては、携帯装置１００に所定電圧値の直流電圧を供給する電源アダプターとしての電源供給機能がある。
【０１０６】
上記（１）（２）（３）の各機能を、携帯装置１００をテレビ電話ステーション１５０にドッキングさせることによって直ちに発揮させるために、テレビ電話ステーション１５０本体を通電状態にしておくとともに、テレビ電話ステーション１５０を電話回線２０１とに接続したままの状態にしておくようにする。
【０１０７】
これによって、携帯装置１００を、テレビ電話ステーション１５０にドッキングさせるだけでこれらの各機能を直ちに使用することができ、携帯装置１００の機能を拡張又は補完することが可能になる。
【０１０８】
まず、図４に示す制御部１１及び図５に示す制御部１７０による動作について説明する。
【０１０９】
制御部１１及び制御部１７０による動作によって上記テレビ電話機能及び電子スチルカメラとしての機能が実現される。
【０１１０】
なお、制御部１１内のＣＰＵ１６の処理動作に対応するプログラムは、同じく制御部１１内のＲＯＭ１８に格納されている。また、制御部１７０のＣＰＵ１７１は、携帯装置１００がテレビ電話ステーション１５０上に載置され所定条件になったとき制御権を制御回路１１内のＣＰＵ１６に渡すものとする。
【０１１１】
ここで、本実施例の動作説明における携帯装置１００は、テレビ電話ステーション１５０上に載置されているものとし、テレビ電話ステーション１５０には、入出力３端子ケーブルを介してテレビ受信機（図示略）が、モジュラーケーブル２０４を介して電話回線２０１が接続されているものとする。
【０１１２】
また、携帯装置１００は、携帯装置１００がパワーオフの状態の場合、携帯装置１００及びテレビ電話ステーション１５０におけるＬＩＮＥ側入出力端子１ＬとＴＥＬ側入出力端子１Ｔとはスルー状態で接続される。この状態で、テレビ電話ステーション１５０のハンドセット１５３の音声信号は、ＴＥＬ側入出力端子１ＴからＬＩＮＥ側入出力端子１Ｌを介してアナログ公衆回線にそのまま出力され、一方、アナログ公衆回線から入力される音声信号は、ＬＩＮＥ側入出力端子１ＬからＴＥＬ側入出力端子１Ｔを介してテレビ電話ステーション１５０にそのまま出力される。
【０１１３】
また、携帯装置１００及びテレビ電話ステーション１５０がパワーオン状態の場合、ハンドセット１５３からの音声信号は、ＴＥＬ側入出力端子１Ｔから携帯装置１００内に取り込まれ、一旦ＡＤＣ２１によりＡ／Ｄ変換された後、音声圧縮・伸張回路２７により所定の圧縮処理で圧縮されてバス１５に出力される。そして、バス１５に出力された音声信号は、ＣＰＵ１６によって画像信号と合成され、テレビ電話ステーション１５０のモデム３０及びＮＣＵ３１により変換されてＬＩＮＥ側入出力端子１Ｌに出力される。
【０１１４】
一方、アナログ公衆回線からＬＩＮＥ側入出力端子１Ｌを介して入力される入力信号は、モデム３０及びＮＣＵ３１により復調された後、モデム３０内のＤＳＰ（Digital Signal Processor）でＡ／Ｄ変換され、バス１５に出力される。そして、バス１５に出力された画像信号及び音声信号がＣＰＵ１６によって画像信号と音声信号とに分離され、音声信号が、音声圧縮・伸張回路２７により伸張された後、さらに、ＤＡＣ２４によりＤ／Ａ変換されてＴＥＬ側入出力端子１Ｌに出力される。
【０１１５】
まず、携帯装置１００及びテレビ電話ステーション１５０の電源投入後、オペレータによりハンドセット１５３の受話器１５３ｂが持ち上げられてオフフック状態とし、通信相手の電話番号が入力されることによりＮＣＵ３１によりダイヤル発呼が行われる。
【０１１６】
通信回線が接続された場合、以下に述べるような送信処理と受信処理とが実行される。
【０１１７】
なお、本実施例の携帯装置１００及びテレビ電話ステーション１５０は、送信処理及び受信処理において、画像処理と音声処理とを同時に並列して実行するため、以下では、送信処理を画像送信処理と音声送信処理とにそれぞれ分け、また、受信処理を画像受信処理と音声受信処理とにそれぞれ分けて説明する。
【０１１８】
画像送信処理では、カメラ部１０２によって撮像された画像データがＡＤＣ２１を介してビデオメモリ２２に格納され、画像圧縮・伸張回路１９によってビデオメモリ２２内に格納された画像データが所定の圧縮処理により圧縮される。
【０１１９】
そして、圧縮された画像データはバス１５及びＩ／Ｏポート５０，５２を介してテレビ電話ステーション１５０の変復調部１４に出力され、変復調部１４によって通信相手に伝送される。ここで、通話の最中にＬＣＤ３５に表示される自画像（送信画像）を記録したい場合、オペレータにより画像記録用のキースイッチ１０が押下されることにより、ビデオメモリ２３に画像データが格納される。
【０１２０】
この場合、１画面分の画像データのデータ量は、２１１２００ビット（約２５．８キロバイト）であるから、ビデオメモリ２３の容量が２５６キロバイトあれば、画像データを約９〜１０画面分格納することができる。ちなみに、圧縮された１画面分の画像データのデータ量は、１４４００ビット（約１．７６キロバイト）であるから、圧縮された画像データを１０画面分格納するためには、ＲＡＭ１７に画像データ格納領域が約１８キロバイトあればよいことになる。
【０１２１】
音声送信処理では、ハンドセット１５３における受話器１５３ｂから入力される音声データがテレビ電話ステーション１５０の変復調部１４、及びＩ／Ｏポート５２，５０を介して携帯装置１００のＡＤＣ２６に出力され、音声圧縮・伸張回路２７によって音声データが所定の圧縮処理により圧縮される。
【０１２２】
そして、圧縮された音声データは、バス１５を介してテレビ電話ステーション１５０の変復調部１４内のモデム３０に出力され、ＮＣＵ３１及び入出力端子１Ｌを介して通信相手に伝送される。
【０１２３】
画像受信処理では、テレビ電話ステーション１５０の変復調部１４によって画像受信信号の有無が判別され、画像受信信号がある場合、復調された画像データが、Ｉ／Ｏポート５０、５２及びバス１５を介して画像処理部１２に出力され、受信された画像データが、画像圧縮・伸張回路１９により伸張される。
【０１２４】
そして、伸張された画像データが、ビデオメモリ２３に格納されるとともに、ＤＡＣ２４を介して液晶表示部１０３に出力され、ＬＣＤ３５に表示される。また、伸張された画像データはＩ／Ｏポート５０及び入出力３端子ケーブルを介してテレビ受信機に出力され、テレビ受信機の表示画面に大画面で表示される。
【０１２５】
ここで、通話の最中にＬＣＤ３５及びテレビ受信機２５０の表示画面に表示される相手画像（受信画像）を記録したい場合、オペレータにより画像記録用のキースイッチ１０が押下されることにより、ビデオメモリ２３に画像データが格納される。
【０１２６】
この場合、画像送信処理で説明したように、１画面分の画像データのデータ量は、約２５．８キロバイトであるから、ビデオメモリ２３の容量が２５６キロバイトあれば、画像データを約９〜１０画面分格納することができるため、送信用に３画面、受信用に７画面という具合に分割して使用することもできる。
【０１２７】
音声受信処理では、テレビ電話ステーション１５０の変復調部１４によって音声受信信号の有無が判別され、音声受信信号がある場合、復調された音声信号が音声処理部１３に出力される。受信された音声データは、バス１５を介して音声圧縮・伸張回路２７に出力されて音声圧縮・伸張回路２７により伸張される。
【０１２８】
そして、伸張された音声データは、ＤＡＣ２９を介して変復調部１４内のＮＣＵ３１に出力され、入出力端子１Ｔを介して電話機２０２に音声が出力される。  以上の送信・受信処理が、ハンドセット１５３の受話器１５３ｂが置かれたオンフック状態とされるまで繰り返し実行される。
【０１２９】
すなわち、本実施例では、携帯装置１００に対し、変復調部１４によって圧縮された画像データ及び音声データを同時に伝送し、かつ、画像圧縮・伸張回路１９におけるデータ圧縮率（７／１００程度）と、変復調部１４の画像データ伝送速度（４８００ｂｐｓ）とに基づいて、ＬＣＤ３５によって表示される１画面分の画像データ（２１１２００ビット）が３分割されて伝送されることにより、アナログ公衆回線で高品位な画像が伝送される。つまり、ＬＣＤ３５の画面サイズが３インチで、１画面が１１０×１６０画素×１２ビット（４０９６色）＝２１１２００ビットのデータを有するため、３秒に１駒の割合で画像データの伝送を行なっているが、画面サイズの変更に伴う１画面の画素数及び色数（階調数）の増減に伴い、１画面分の画像データを伝送する時間は変更される。
【０１３０】
具体的には、例えば、４０９６色で画像データを伝送するモードを通常モードとし、同画素数（１１０×１６０画素）で６５５３６色（１６ビット）の表示を行なうモードを高画質モードとする場合、高画質モードで画像データを伝送するときには、１画面分の画像データ量は、１１０×１６０×１６＝２８１６００ビット（約３４．４キロバイト）となり、画像圧縮処理により約６８／１０００にデータが圧縮されることによって、１９２００ビットの画像データとされ、この１９２００ビットを１秒に伝送できるビット数（４８００ビット）で割った時間（すなわち、１９２００÷４８００＝４秒）に１コマの割合で間欠静止画像が伝送される。すなわち、この場合、２８１６００ビットを４で割って求められる７０４００ビット（約８．６キロバイト）の画像データが約６８／１０００に圧縮され、上記実施例の図６に示すように、４８００ビットの画像データを含む画像符号とされる。
【０１３１】
図７及び図８は、携帯装置１００及びテレビ電話ステーション１５０の処理動作を説明するためのフローチャートである。
【０１３２】
まず、携帯装置１００の電源投入後、制御回路１１内のイニシャライズや各メモリのクリア等の初期設定処理（ステップＳ１）を行なった後、キースイッチ１０からの入力があるかどうかチェックするためのキースキャンを行ない（ステップＳ２）、キー入力があるときには、後述するように、キー操作に対応する処理を実行する。
【０１３３】
次に、受信フラグを一旦オフ（＝"０"）にし（ステップＳ３）、ＮＣＵ３１のライン電圧レベルを監視して、リンガートーンの検出を行なうことにより、通信相手からの呼び出しの有無をチェックする（ステップＳ４）。
【０１３４】
ここで、リンガートーン区間であると判断すると、受信フラグをオン（＝"１"）にし（ステップＳ５）、再度、ＮＣＵ３１のライン電圧レベルを監視して、、現在、通話状態にあるかどうか判断する（ステップＳ６）。
【０１３５】
そして、現在、通話状態でないと判断されると、キースイッチ１０の映像オン・オフスイッチが押されたか否かが判断され（ステップＳ７）、押されていなければ上記ステップＳ２の処理から再度実行される。これにより、通話状態ではなく、キースイッチ１０の映像オン・オフスイッチが押されていない状態のループＡを構成する。
【０１３６】
一方、上記ステップＳ６において、通話状態にあると判断すると、受信フラグがオン状態かどうかチェックし（ステップＳ８）、受信フラグがオフ（＝"０"）のときには、上記ステップＳ７の処理で映像オン・オフスイッチが押されている場合と同様に、表示画面の初期設定を行なう（ステップＳ９）。
【０１３７】
ＬＣＤ３５の初期設定が終了すると、ビデオメモリ２２に格納された画像データを画像圧縮・伸張回路１９に読み込み、そのままビデオメモリ２３に出力することにより、ビデオメモリ２２からビデオメモリ２３に画像データの移動を行なう（ステップＳ１０）。
【０１３８】
次いで、キースイッチ１０からの入力があるかどうかをチェックするためにキースキャンが行われ（ステップＳ１１）、ＮＣＵ３１のライン電圧レベルを監視することにより、通話中か否かが判断されるとともに（ステップＳ１２）、通話中でないときには、キースイッチ１０の映像オン・オフスイッチが押されたか否かが判断される（ステップＳ１３）。
【０１３９】
ここで、上記ステップＳ１３の判断処理において、キースイッチ１０の映像オン・オフスイッチが押されていない場合には、上記ステップＳ１０の処理から再度実行される。これにより、通話状態でなく、キースイッチ１０の映像オン・オフスイッチが押された状態のループＢが構成される。
また、上記ステップＳ１３の判断処理において、キースイッチ１０の映像オン・オフスイッチが押されている場合には、液晶表示部１０３のＬＣＤ３５に表示される画面が消去され（ステップＳ１４）、上記ステップＳ２の処理から再度実行される。
【０１４０】
一方、上記ステップＳ１２の判断処理において、通話中であると判断された場合には、後述するステップＳ１６の処理に移行する。
すなわち、通話中でないときには、キースイッチ１０の映像オン・オフスイッチを押してオンすることにより、携帯型の携帯装置１００のカメラ部１０２で撮影された映像を液晶表示部１０３のＬＣＤ３５に表示させることができ、また、この状態で、キースイッチ１０の映像オン・オフスイッチを押してオフすることにより、液晶表示部１０３のＬＣＤ３５の表示を消すことができる。
【０１４１】
一方、上記ステップＳ６の判断処理において、通話状態であると判断されると、続いて受信フラグがオフ（＝"０"）である場合、上記ステップＳ９での処理と同様に、液晶表示部１０３の表示画面（ＬＣＤ３５）の初期設定が行われる（ステップＳ１５）。
【０１４２】
そして、キースイッチ１０からの入力があるかどうかをチェックするためにキースキャンが行われ（ステップＳ１６）、現在通話状態にあるか否かが判断される（ステップＳ１７）。このステップＳ１７の判断処理において、通話状態でない場合、上述したステップＳ１４、ステップＳ２の処理から再度実行される。
一方、上記ステップＳ１７の判断処理において、現在通話状態であると判断されると、キースイッチ１０の映像オン・オフスイッチが押されたか否かが判断される（ステップＳ１８）。
【０１４３】
このステップＳ１８の判断処理において、キースイッチ１０の映像オン・オフスイッチが押されていないと判断されると、上記ステップＳ１６の処理から再度実行される。これにより、通話状態であるが映像を送受信していない状態のループＣを構成する。
一方、上記ステップＳ１８の判断処理において、キースイッチ１０の映像オン・オフスイッチが押されている場合、後述の図８に示す処理に進む。
【０１４４】
図８は、図７に続く制御部の制御動作を示すフローチャートである。
上記ステップＳ１８の判断処理でキースイッチ１０の映像オン・オフスイッチが押されている場合、ネゴシエーション処理が行われ（ステップＳ２１）、液晶表示部１０３の画面の初期設定が行われる（ステップＳ２２）。
【０１４５】
次に、画像処理部１２による画像データの圧縮・伸張処理（ステップＳ２３）、音声処理部１３による音声圧縮処理（ステップＳ２４）を順次行ない、次に、通信処理によりデータの送・受信を行なう（ステップＳ２５）。
【０１４６】
そして、キースイッチ１０からの入力があるかどうかチェックするために、キースキャンを行ない（ステップＳ２６）、現在、通話中かどうかチェックする（ステップＳ２７）。
【０１４７】
ここで、通話中の場合、上記ステップＳ２３からの処理が再度実行される。これにより、通話状態であり、映像を送受信している状態のループＤを構成する。他方、通話中でない場合、図７に示す上記ステップＳ１４，ステップＳ２の処理から再度実行される。
すなわち、通話中であるときには、キースイッチ１０の映像オン・オフスイッチを押すことにより、映像の送受信が可能となる。
【０１４８】
上記ステップＳ２３での画像データの圧縮・伸張処理、上記ステップＳ２４での音声データの圧縮・伸張処理及び上記ステップＳ２５での通信処理について、以下、詳細に説明する。
【０１４９】
なお、本実施例の携帯装置１００は、送信処理及び受信処理において、画像データ処理と音声データ処理とを同時に平行して実行するため、以下の説明では、送信処理と受信処理とに分けて説明する。
【０１５０】
（送信処理）
送信処理においては、カメラ１０２で撮影された画像データは、ＡＤＣ２１によりＡ／Ｄ変換され、Ａ／Ｄ変換された画像データは、ビデオメモリ２２に出力される。ビデオメモリ２２に取り込まれた画像データは、画像圧縮・伸張回路１９により圧縮処理され、バッファメモリ２０に一時的に記憶される。このバッファメモリ２０に圧縮された状態で蓄積された画像データは、ＣＰＵ１６からの制御信号により順次読み出されることになる。
【０１５１】
ここで、通話の最中に液晶表示部１０３に表示される自画像（送信画像）を記録したい場合には、オペレータは、キースイッチ１０の画像取込スイッチを投入する。この画像取込スイッチが投入されると、ＣＰＵ１６は、バッファメモリ２０に蓄積されている画像データをＲＡＭ１７に転送させ、ＲＡＭ１７に格納する。
【０１５２】
この場合、圧縮された１画面分の画像データのデータ量は、１４４００ビット（約１．７６キロバイト）であるから、圧縮された画像データを１０画面分格納するためには、ＲＡＭ１７に画像データ格納領域が、約１８キロバイトあればよいことになる。
【０１５３】
一方、ハンドセット１５３の送話器１５３ａから入力される音声データは、ＴＥＬ側入出力端子１ＴからＮＣＵ３１を介してＡＤＣ２６に入力され、ＡＤＣ２６でＡ／Ｄ変換された後、音声圧縮・伸張回路２７によって圧縮処理されて、バッファメモリ２８に一時的に記憶される。そして、バッファメモリ２８に圧縮された状態で蓄えられた音声データは、ＣＰＵ１６からの制御信号に基づいて順次読み出される。
【０１５４】
ＣＰＵ１６は、圧縮された画像データ及び音声データを順次読み出し、画像データと音声データとを合成して、モデム３０に出力する。そして、入力された圧縮データが、モデム３０により変調され、Ｄ／Ａ変換された後、ＮＣＵ３１からライン側入出力端子１Ｌを介してアナログ公衆回線に出力される。
【０１５５】
（受信処理）
圧縮された画像データ及び音声データは、圧縮された状態で、アナログ公衆回線からライン側入出力端子１Ｌ及びＮＣＵ３１を介してモデム３０に入力され、モデム３０により復調及びＡ／Ｄ変換された後、バス１５を介してＣＰＵ１６に順次転送される。
【０１５６】
ＣＰＵ１６は、合成されたデータを画像データと音声データとに分離し、圧縮された画像データはバッファメモリ２０に、圧縮された音声データはバッファメモリ２８に一時蓄えられる。
【０１５７】
次に、画像圧縮・伸張回路１９は、書き込まれた画像データをバッファメモリ２０から順次読み出し、伸張した後、ビデオメモリ２３に書き込む。
【０１５８】
ここで、通話の最中に、液晶表示部４３に表示される相手画像（受信画像）を記録したい場合には、オペレータは、キースイッチ１０の画像取込スイッチを投入する。画像取込スイッチが投入されると、ＣＰＵ１６は、バッファメモリ２０に蓄えられている画像データをＲＡＭ１７に転送し、ＲＡＭ１７に格納する。
【０１５９】
この場合、前述の送信処理で説明したように、圧縮された１画面分の画像データのデータ量は、約２５．８キロバイトであるから、ＲＡＭ１７の画像データ格納領域が２５６キロバイトあれば、画像データ約１０画面分格納することができる。そこで、１０画面分の格納領域を、例えば、送信用の画像データ格納用に３画面分を、受信用の画像データ格納用に７画面分を、という具合に分割して、ＲＡＭ１７を利用することもできる。
【０１６０】
一方、音声圧縮・伸張回路２７は、書き込まれた音声データをバッファメモリ２８から順次読み出して伸張し、一定のレートでＤＡＣ２９に出力する。そして、伸張されたアナログ音声データは、ＮＣＵ３１からＴＥＬ側入出力端子１Ｌを介してハンドセット１５３に出力され、ハンドセット１５３の受話器１５３ｂから聞くことができる。
【０１６１】
この送信・受信処理は、ハンドセット１５３の受話器１５３ｂが置かれる状態となるまで、繰り返し実行される。
【０１６２】
次に、図９及び図１０に基づいて送信動作及び受信動作を説明する。
【０１６３】
なお、図９及び図１０において、オンフックとは、ハンドセット１５３の受話器１５３ｂが置かれている状態をいい、オフフックとは、ハンドセット１５３の受話器１５３ｂが持ち上げられた状態をいう。また、通信中とは、回線が接続されて会話が成立している状態をいう。
【０１６４】
まず、図９に基づいて送信動作を説明する。
【０１６５】
図９は、送信時における通信状態の遷移図である。なお、同図で大文字のアルファベット及びステップ（Ｓ６，Ｓ７，Ｓ１２，Ｓ１３，Ｓ１７，Ｓ１８，Ｓ２７）で示されているのは、図７及び図８のフローチャートに対応している。
【０１６６】
電源を投入した後、オンフックの状態（ループＡ）では、液晶表示部１０３におけるＬＣＤ３５の画面表示が消えているときに、キースイッチ１０の映像オン・オフスイッチを１回押すと（図７中のステップＳ７及び図９中の（ａ）参照）、ＬＣＤ３５が表示状態となり（ループＡ→ループＢ）、自分の携帯装置１００のカメラ部１０２からのカメラ入力画像がモニタとしてＬＣＤ３５に表示される。この状態で、もう一度、キースイッチ１０の映像オン・オフスイッチを押すと（図７中のステップＳ１３及び図９中の（ｂ）参照）、ＬＣＤ表示が消えて元の状態に戻る（ループＢ→ループＡ）。
【０１６７】
オンフックの状態（ループＡ）から受話器を上げると（図９中の（ｃ）参照）、オフフックの状態に移行する。
【０１６８】
オフフックの状態（ループＡ）で、液晶表示部１０３におけるＬＣＤ３５の画面表示が消えているときに、キースイッチ１０の映像オン・オフスイッチを１回押すと（図７中のステップＳ７及び図９中の（ｄ）参照）、ＬＣＤ３５が表示状態となり、前述したオンフック状態のときと同様に、自分側の携帯装置１００のカメラ部１０２からのカメラ入力画像がモニタとしてＬＣＤ３５に表示される。この状態で、もう一度、キースイッチ１０の映像オン・オフスイッチを押すと（図７中のステップＳ１３及び図９中の（ｅ）参照）、ＬＣＤのモニタ表示が消えて元のオフフック状態に戻る（ループＢ→ループＡ）。
【０１６９】
なお、オンフック及びオフフックの状態で、ＬＣＤ３５にモニタ表示がなされている状態（図９中、オンフック及びオフフックの三重線が引かれている状態）で受話器を上げ・下げしても（図９中の（ｆ）参照）、オンフックからオフフック、又はオフフックからオンフックに状態が移行するだけで、ＬＣＤ３５のモニタ表示には変化はない。
【０１７０】
次に、ＬＣＤ３５がモニタ表示となっているか消えているのかの状態にかかわらず、オフフックの状態でダイヤル発呼し、相手側と応答が成立すると（図７中のステップＳ６，Ｓ１２及び図９中の（ｇ），（ｈ）参照）、通話中の状態に移行し、ＬＣＤ３５は自分側のモニタ表示となる（ループＣ）。この状態のとき、相手側が電話を切ると（図７中のステップＳ１７及び図９中の（ｉ）参照）、オフフックの状態に移行し、ＬＣＤ３５のモニタ表示も消える（ループＣ→ループＡ）。また、通話中の状態で自分側が電話を切った場合でも（図７中のステップＳ１７及び図９中の（ｊ）参照）、オンフック状態に移行し、ＬＣＤ３５のモニタ表示も消える。
【０１７１】
通話中（ループＣ）で、ＬＣＤ３５が自分側のモニタ表示中に、キースイッチ１０の映像オン・オフスイッチが押されると（図７中のステップＳ１８及び図９中の（ｋ）参照）、相手側端末との間で通信のネゴシエーションが開始される。この結果、相手側端末と自端末とが相互通信不可能と判断されると（図９中の（ｌ）参照）、キースイッチ１０の映像オン・オフスイッチが押される前の状態に戻り、相手側端末と自端末とが相互通信可能な場合は、テレビ電話区間が成立し（図９中の（ｍ）参照）、以後、画像データと音声データとの相互通信がなされる（ループＣ→ループＤ）。
【０１７２】
なお、この状態でキースイッチ１０の映像オン・オフスイッチが何回押されても無視される（図９中の（ｎ）参照）。この状態（ループＤ）のとき、相手側が電話を切ると（図８中のステップＳ２７及び図９中の（ｏ）参照）、オフフックの状態に移行し、ＬＣＤ３５のモニタ表示も消える（ループＤ→ループＡ）。また、自分側が受話器を置いても（図８中のステップＳ２７及び図９中の（ｐ）参照）、オンフックの状態に移行し、ＬＣＤ３５のモニタ表示も消える（ループＤ→ループＡ）。
【０１７３】
そして、オフフックの状態でＬＣＤ３５のモニタ表示が消えているときに、受話器１５３ｂを置くと、オンフックの状態に移行する（図９中の（ｑ）参照）。  次に、図１０に基づいて受信動作を説明する。
【０１７４】
なお、前述の送信動作の説明により説明した事項については、その説明を省略する。
【０１７５】
図１０は、受信時における受信状態の遷移図である。ちなみに、図１０中、ジグザグ線で示す期間は、リンガートーン、すなわち、テレビ電話ステーション１５０内部に設置されたリンガが鳴っている時間を示す。
【０１７６】
リンガートーンの区間中（ループＡ）に（図１０中の（ｒ）参照）、受話器を持ち上げて応答すると（図７中のステップＳ６及び図１０中の（ｓ）参照）、通話中の状態に移行するが、このとき、送信側と異なってＬＣＤ３５にモニタ表示はされず、消えたままである（ループＡ→ループＣ）。しかしながら、オンフックの状態（ループＡ）でキースイッチ１０の映像オン・オフスイッチを１回押すと（図７のステップＳ７及び図１０中の（ｔ）参照）、ＬＣＤ３５がモニタ表示状態となり、自分側をモニタすることができる（ループＡ→ループＢ）。このとき、リンガートーンが発生し（図１０中の（ｕ）参照）、このリンガートーンに応答すると（図７中のステップＳ１２及び図１０中の（ｖ）参照）、通話中の状態となり、ＬＣＤ３５はモニタ表示のままとなる。ちなみに、オンフックの状態で、かつ、リンガートーンの区間内でもキースイッチ１０の映像オン・オフスイッチは有効である。
【０１７７】
次に、留守番機能による動作について説明する。
【０１７８】
図１１〜図１３は携帯装置１００及びテレビ電話ステーション１５０の留守番処理動作を説明するためのフローチャートである。
【０１７９】
図１１はメッセージ録音／録画を設定する動作を説明するためのフローチャートである。
【０１８０】
まず、ステップＳ３１で録音／録画ボタンがＯＮか否かを判別し、録音／録画ボタンがＯＮでないときは通常モード（ステップＳ３２）に移行し、録音／録画ボタンがＯＮのときはステップＳ３３でオンラインか否かを判別する。すなわち、録音／録画ボタンがＯＮでオンラインでないときにメッセージ録音／録画処理が実行される。オンラインのときは前のジョブに戻ってオンライン処理（ステップＳ３４）を実行し、オンラインでなければステップＳ３５で画像処理部１２による画像圧縮の準備をし、ステップＳ３６で音声圧縮部１３による音声圧縮の準備をする。
【０１８１】
次いで、ステップＳ３７でスタートパイロット信号を発生させ、ステップＳ３８で録音／録画を開始する。スタートパイロット信号が発信してからの録音／録画時間は、例えば仕様により１５〜２０秒間程度が用意され、この録音／録画時間に、留守録を設定しようとする人が録音しながらカメラ部１０２の前で撮影する。
【０１８２】
ステップＳ３９では、録音／録画が終了したか否かを判別し、録音／録画が終了していないときは記憶媒体の容量オーバー検出用としてステップＳ４０で録音／録画を開始してから所定時間が経過してタイムアウトになったか否かを判別する。所定時間が経過していないときはステップＳ３９に戻って録音／録画の終了を判別し、所定時間が経過してタイムアウトになったときは記憶媒体の容量が所定容量をオーバーするおそれがあると判断してステップＳ４１以降の終了処理に進む。また、録音／録画が終了したときはそのままステップＳ４１に進み、ステップＳ４１でエンドパイロット信号を録音し、ステップＳ４２で終了処理を行なって本フローの処理を終了する。
【０１８３】
図１２は着信処理動作を説明するためのフローチャートである。
【０１８４】
まず、ステップＳ５１でリンガを検出したか否かを判別し、リンガを検出するとステップＳ５２でオペレータがオフフックしたか否かを判別し、オペレータがオフフックしたときはステップＳ５３で通常の処理（前記図７〜図１０参照）を行なう。オペレータがオフフックしなかったたときは留守録の必要性があると判断してステップＳ５４でリンガが所定回数（例えば、５回）なったか否かを判別し、所定回数以下であればステップＳ５２に戻る。
【０１８５】
リンガが所定回数なるとステップＳ５５以降の留守録モードに入り、通常にオフフックしたときのように課金状態になる。なお、留守録モードになっていなければそのままリンガを続ける。
【０１８６】
留守録モードに入ると、まずステップＳ５６でプリ・メッセージを送出し、ステップＳ５７で相手端末の検出を行なう。ここで、プリ・メッセージとしては、例えば「留守にしています。テレビ電話の方はビデオＯＮボタンを押して下さい。普通の電話の方はそのままお待ち下さい。」がある。すなわち、相手がテレビ電話であるか普通の電話であるかは受信側では区別できないので、音声により相手方にプリ・メッセージを送出し、相手端末からビデオＯＮ信号を送出を受けてテレビ電話か普通の電話であるかを検出する。
【０１８７】
ステップＳ５８で相手端末からのビデオＯＮ信号を送出により相手端末がテレビ電話であるか否かを判別し、相手端末がテレビ電話であるか否かによって以下のステップＳ５９またはステップＳ６５に分岐する。
【０１８８】
相手端末がテレビ電話でないとき、すなわち普通の電話であるときはステップＳ５９以下で通常の留守録時の通信モードに入り、ステップＳ６０で音の再生を行ない、ステップＳ６１で録音を開始する。次いで、ステップＳ６２でリモート制御等のアプリケーション処理（図１３で後述）を行ない、ステップＳ６３で相手端末が回線を切断したか又は所定の時間が経過してタイムオーバーになったことを判別し、相手端末の回線切断又はタイムオーバーの何れかを判別したときはステップＳ６４で終了処理を行なって本フローを終了する。また、相手端末の回線切断又はタイムオーバーの何れにも該当しないときには、ステップＳ６２に戻って相手端末の回線切断又はタイムオーバーになるまでアプリケーション処理を続ける。
【０１８９】
一方、相手端末がテレビ電話のときは、ステップＳ６５以下でテレビ電話の留守録時の通信モードに入り、ステップＳ６６で音／画像の再生を行ない、ステップＳ６７で録音・録画を開始する。次いで、ステップＳ６８でリモート制御等のアプリケーション処理（図１３で後述）を行ない、ステップＳ６９で相手端末が回線を切断したか又は所定の時間が経過してタイムオーバーになったことを判別し、相手端末の回線切断又はタイムオーバーの何れかを判別したときはステップＳ７０でテレビ電話の終了処理を行なって本フローを終了する。また、相手端末の回線切断又はタイムオーバーの何れにも該当しないときには、ステップＳ６８に戻って相手端末の回線切断又はタイムオーバーになるまでアプリケーション処理を続ける。
【０１９０】
図１３はアプリケーション処理の動作を示すフローチャートであり、前記図１２のステップＳ６２、Ｓ６９に対応する。
【０１９１】
ステップＳ６２、Ｓ６９に移行すると本プログラムはスタートし、まずステップＳ７１でＤＴＭＦトーンを検出したか否かを判別し、ＤＴＭＦトーンを検出していないときは本アプリケーション処理に該当しないと判断してステップＳ７２の次処理に移行する。ＤＴＭＦトーンは、図示しないＤＴＭＦ（dual tone multi-frequency）回路により、押釦ダイヤルスイッチの押下げ情報があると発生・送出される。ＤＴＭＦトーンが検出されるとステップＳ７３でメッセージを再生したり、ステップＳ７４でメッセージを更新する等の各種制御を実行してステップＳ７１に戻る。このアプリケーション処理により、例えば公衆電話から留守番電話に電話して所定ボタンを押して、ルームモニタを行なったり録音されているメッセージを聞く、といったリモート制御を行なう。
【０１９２】
以上説明したように、本実施例のテレビ電話装置は、液晶表示部１０３を採用して小型・軽量化を図り、携帯しての利用を可能にした携帯装置１００と、携帯装置１００の機能を拡張又は補完する留守録機能を内蔵したテレビ電話ステーション１５０とから構成され、テレビ電話ステーション１５０は、ハンドセット（送受器）１５３、留守録設定を行なうキー等のキースイッチ１５４、留守録状態等を表示する表示部１５５、制御部１７０、留守録時に相手方にメッセージとして送出する画像データ及び音声データを記憶するとともに、留守録時に相手端末から送出された画像データ及び音声データを記憶するメッセージメモリ１７４、変調・復調部１４、Ｉ／Ｏポート５２、携帯装置１００に所定電圧値の直流電圧を供給するための電源供給回路１７５を備え、制御部１７０は図１１から図１３の留守録処理を実行するようにしているので、携帯装置１００を、テレビ電話ステーション１５０にドッキングさせるだけで留守録機能を直ちに使用ことができ、不在であっても留守録機能によって相手端末にメッセージを送出し、相手端末からの画像データ及び音声データを受信して記憶しておくことが可能になる。
【０１９３】
なお、本実施例は、電子カメラ機能を備えた携帯装置と、テレビ電話ステーションとからなるテレビ電話装置に適用した例であるが、携帯使用可能な携帯装置が結合され、留守録機能を備えたテレビ電話ステーションであればどのような装置に用いてもよいことは言うまでもない。
【０１９４】
また、画像データの圧縮方式としては、本実施例におけるＪＰＥＧアルゴリズムに限らず、例えば、ブロック符号化方式、予測符号化方式、直交変換符号化方式等であってもよく、また、音声データの圧縮方式としては、本実施例におけるＣＥＬＰアルゴリズムに限らず、例えば、ＡＤ−ＰＣＭ（Adaptive Differential Palse Code Modulation）方式、ＶＳＥＬＰ（Vector Sum Excited Linear Prediction)方式等であっても構わない。
【０１９５】
【発明の効果】
請求項１及び２記載の発明によれば、
テレビ電話装置は、カメラ部、画像圧縮伸長処理手段、及び画像を表示する表示部を備えた携帯装置と、テレビ電話装置の機能を拡張又は補完するテレビ電話ステーションとから構成され、携帯装置がテレビ電話ステーションにドッキングされると、ステーションが有する各拡張機能が直ちに使用可能になるように構成される。すなわち、携帯装置が、テレビ電話中にスイッチ手段の操作が為された場合に、当該操作時においてカメラ部から入力される送信画像データを記録する。また、テレビ電話ステーションが、携帯装置で撮像されて圧縮処理されたメッセージ用の画像データを記憶するとともに、留守録モード時に他の装置から着信した場合には、テレビ電話信号の送出を促す予め設定された音声メッセージを送信し、当該他の装置からテレビ電話信号を受信したか否かによって通常の留守録とテレビ電話の留守録とを切り替え、テレビ電話の留守録を行う場合に、前述のメッセージ用の画像データを当該他の装置に送信し、送信後に前記他の装置から送られてきた画像データを保存する。
従って、携帯装置を単体で使用するときには、液晶表示部を採用したことにより小型・軽量化が図られて携帯しての利用が可能になる。そして、携帯装置をテレビ電話ステーションにドッキングさせておけば、携帯装置は、テレビ電話中にスイッチ手段の操作が為された場合に、当該操作時においてカメラ部から入力される送信画像データを画像圧縮伸張処理手段により圧縮処理させて記憶することができ、また、テレビ電話ステーションは、留守録モード時に他の装置から着信した場合に、当該他の装置にメッセージ用の画像データを送信することができる。さらに、テレビ電話ステーションは、留守録モード時において、他の装置がテレビ電話であるか普通の電話であるかに応じた留守録を行うことができる。
【図面の簡単な説明】
【図１】テレビ電話装置の接続関係を説明するための図である。
【図２】携帯装置の外観図である。
【図３】携帯装置とテレビ電話ステーションとのドッキング状態を説明するための図である。
【図４】携帯装置の全体構成ブロック図である。
【図５】テレビ電話ステーションの全体構成ブロック図である。
【図６】多重化符号の１フレームの構成を示す図である。
【図７】携帯装置の制御部及びテレビ電話ステーションの制御部の制御動作を示すフローチャートである。
【図８】図７に続く制御部の制御動作を示すフローチャートである。
【図９】テレビ電話装置の送信時における通信状態の遷移図である。
【図１０】テレビ電話装置の受信時における通信状態の遷移図である。
【図１１】テレビ電話装置のメッセージ録音／録画を設定する動作のフローチャートである。
【図１２】テレビ電話装置の着信処理動作のフローチャートである。
【図１３】テレビ電話装置のアプリケーション処理の動作のフローチャートである。
【符号の説明】
１Ｌ          ＬＩＮＥ側入出力端子
１Ｔ          ＴＥＬ側入出力端子
１０          キースイッチ
１１，１７０  制御部
１２          画像処理部
１３          音声処理部
１４          変調・復調部
１５          バス
１６，１７１  ＣＰＵ
１７，１７２  ＲＡＭ
１８，１７３  ＲＯＭ
１９          画像圧縮・伸張回路
２０          バッファメモリ
２１          ＡＤＣ
２２          ビデオメモリ
２３          ビデオメモリ
２４          ＤＡＣ
２５          画像入力端子
２６          ＡＤＣ
２７          音声圧縮・伸張回路
２８          バッファメモリ
２９          ＤＡＣ
３０          モデム
３１          ＮＣＵ
３２          レンズ
３３          ＣＣＤ
３４          ＤＤ
３４ａ        映像入力端子
３４ｂ        映像出力端子
３５          ＬＣＤ
３６          テレビチューナ
３７          ＡＤＣ
５０，５２，１５７    Ｉ／Ｏポート
５１          電源回路
１００          携帯装置
１０１，５０１  筐体
１０２          カメラ部
１０２ａ        レンズ
１０３          液晶表示部
１０４，１５４  キー入力部
１０５，１５２  電源スイッチ
１０６          ボリュームダイヤル
１０７          イヤホン端子
１０８          切換スイッチ
１０９          チューニングボタン
１１０          パワーインジケータ
１１１          Ｉ／Ｏポート端子
１１２          電源供給端子
１５０          テレビ電話ステーション
１５１          筐体
１５１ａ          収納部
１５２          電源スイッチ
１５３          ハンドセット（送受器）
１５３ａ          送話器
１５３ｂ          受話器
１５４          キースイッチ
１５５  表示部
１６１，１６２，１６３    ピン端子
１６４          ＶＨＦアンテナ端子
１６５          ＵＨＦアンテナ端子
１６６          Ｓ端子
１７４          メッセージメモリ
１７５          電源供給回路
２０１          モジュラージャック式コンセント（電話回線）
２０３          モジュラープラグ
２０４          モジュラーケーブル
【図１】
0003567289.tif 000002
【図２】
0003567289.tif 000003
【図３】
0003567289.tif 000004
【図４】
0003567289.tif 000005
【図５】
0003567289.tif 000006
【図６】
0003567289.tif 000007
【図７】
0003567289.tif 000008
【図８】
0003567289.tif 000009
【図９】
0003567289.tif 000010
【図１０】
0003567289.tif 000011
【図１１】
0003567289.tif 000012
【図１２】
0003567289.tif 000013
【図１３】
0003567289.tif 000014